(57)【要約】【課題】使用上の利便性、実用性、経済性を向上し、付加機能を備えたカバー部の着脱を自在にしたベルトの分離式バックルを提供する。【解決手段】バックル本体１に、その前面及び一側面に各々開放した凹部１１が設けられ、凹部１１はカバー部２の外周が該凹部１１の内周に緊密に挿入配置される大きさに形成される。カバー部２と凹部１１とが互いに接合されるカバー部２及び凹部１１の接合面２２，１４の各々に磁性部品２１，１３が設けられる。凹部１１の一端縁にカバー部２を取り出すための指掛け用の切欠部１２が設けられる。磁性部品２１，１３の相互吸引力により、カバー部２を凹部１１内に対して着脱可能に保持する。【選択図】　　　　　　　図２
0003097326.tif 000002
【実用新案登録請求の範囲】
【請求項１】
バックル本体とカバー部とからなり、前記バックル本体に、その前面及び一側面に各々開放した凹部が設けられると共に、該凹部は前記カバー部の外周が該凹部の内周に緊密に挿入配置される大きさに形成され、前記カバー部と前記凹部とが互いに接合される前記カバー部及び前記凹部の接合面の各々に磁性部品が設けられ、前記凹部の一端縁に前記カバー部を取り出すための指掛け用の切欠部が設けられ、前記磁性部品の相互吸引力により、前記カバー部が前記凹部内に対して着脱可能に保持されてなることを特徴とするベルトの分離式バックル。
【請求項２】
前記カバー部に、ラジオ、ライト、タイマー、万歩計（登録商標）、ストップウォッチ、鍵、コンパス、アラーム装置、デジタル時計のうちから１つが選ばれて配設されていることを特徴とする請求項１に記載のベルトの分離式バックル。
【請求項３】
バックル本体とカバー部とからなり、前記バックル本体に、その前面及び一側面に各々開放した凹部が設けられると共に、該凹部は前記カバー部の外周が該凹部の内周に緊密に挿入配置される大きさに形成され、前記凹部の両内側面に前記一側面から凹部内に向けてスライド用の溝が設けられ、前記カバー部の両側面に突条が設けられ、前記凹部の一端縁に前記カバー部を取り出すための指掛け用の切欠部が設けられ、前記突条が前記スライド用の溝に係合されることで、前記カバー部が前記バックル本体の前記凹部内に対して着脱可能に保持されてなることを特徴とするベルトの分離式バックル。
【考案の詳細な説明】
【０００１】
【考案の属する技術分野】
本考案は、例えば、ラジオ、万歩計（登録商標）、デジタル時計等の様々な機能をベルトに付加するためのベルトのバックルの構造に関する。
【０００２】
【従来の技術】
科学技術がめざましい発展を遂げる現代、服飾においても科学技術を取り入れた新製品が続々と生まれている。ベルトのバックルについていえば、電子科学技術を融合した万歩計（登録商標）、時計、ラジオなどの付加機能を備えたバックルがあり、これらの製品は、例えば、台湾特許第０８７２１６０７４号に開示されているように、電子製品をバックルのカバー部に設け、バックル本体に対して回動可能に連結し、バックルの実用性を向上するものである。
【０００３】
しかしながら、このものは、例えば、付加する電子製品が時計の場合、使用者が時計を見たいとき、まず時計の付いたカバー部を開く必要があり、バックル本体とカバー部が９０度の角度をなし（台湾特許第０８７２１６０７４号図４参照）、使用者はバックルに向けて頭をかかめなければ時計を見ることができず、見た目によくないだけでなく、前述のような姿勢を長時間続けていると、使用者の首や肩に負担がかかることもあり、利便性に欠ける。また、このものは、電池交換の際、バックル全体を取り外す必要があり、着脱の手間がかかる。また、このものは、構成部品が多いため、製品コストが増加し、組立て時間もかさむ。
【０００４】
また、これとは別に、電子製品を直接バックルに内蔵して形成する一体型の従来製品があるが、この構造によれば、バックルの実用性は向上できるものの、使用においてはやはり不便である。例えば、ライトやストップウォッチ、鍵等の製品がバックルに設けてある場合、ベルトのバックルと一体となっているため、使用者が必要部分のみを取り外して使用することができず、不便であるだけでなく、バックルの実用性を低下させてしまう。さらに、電池交換の際には、やはりバックル全体を取り外す必要があり、着脱の手間がかかり、非常に不便である。
【０００５】
【考案が解決しようとする課題】
本考案は、使用上の利便性、実用性、経済性を向上し、付加機能を備えたカバー部の着脱を自在にしたベルトの分離式バックルを提供することを目的とする。
【０００６】
【課題を解決するための手段】
本考案の請求項１に記載のベルトの分離式バックルは、バックル本体とカバー部とからなり、前記バックル本体に、その前面及び一側面に各々開放した凹部が設けられると共に、該凹部は前記カバー部の外周が該凹部の内周に緊密に挿入配置される大きさに形成され、前記カバー部と前記凹部とが互いに接合される前記カバー部及び前記凹部の接合面の各々に磁性部品が設けられ、前記凹部の一端縁に前記カバー部を取り出すための指掛け用の切欠部が設けられ、前記磁性部品の相互吸引力により、前記カバー部が前記凹部内に対して着脱可能に保持されてなることを特徴とする。
【０００７】
また、請求項２に記載のベルトの分離式バックルは、請求項１に記載のものにおいて、前記カバー部に、ラジオ、ライト、タイマー、万歩計（登録商標）、ストップウォッチ、鍵、コンパス、アラーム装置、デジタル時計のうちから１つが選ばれて配設されていることを特徴とするものである。
【０００８】
本考案の請求項３に記載のベルトの分離式バックルは、バックル本体とカバー部とからなり、前記バックル本体に、その前面及び一側面に各々開放した凹部が設けられると共に、該凹部は前記カバー部の外周が該凹部の内周に緊密に挿入配置される大きさに形成され、前記凹部の両内側面に前記一側面から凹部内に向けてスライド用の溝が設けられ、前記カバー部の両側面に突条が設けられ、前記凹部の一端縁に前記カバー部を取り出すための指掛け用の切欠部が設けられ、前記突条が前記スライド用の溝に係合されることで、前記カバー部が前記バックル本体の前記凹部内に対して着脱可能に保持されてなることを特徴とする。
【０００９】
【考案の実施の形態】
以下、本考案を図面に基づいて詳細に説明する。なお、以下に説明する実施形態は、本考案の実際の実施範囲を制限するものではなく、本考案の請求項に記載する構造上の特徴及び機能の各種の変換はすべて本考案の範囲に含まれるものとする。
【００１０】
図１は、本考案の一実施形態（第１実施形態）に係る分離式バックルの組立て状態の斜視図であり、図２は、分解して示す分離式バックルの斜視図である。ベルトの分離式バックルは、バックル本体１とカバー部２とからなる。バックル本体２には、その前面（使用者がベルトを装着した時に正面となる面）及び一側面に各々開放した矩形状の凹部１１が形成されると共に、該凹部１１の大きさはカバー部２の外周が凹部１１の内周に緊密に挿入配置される大きさとされている。また、凹部１１には、カバー部２の取り出しが便利なように、凹部１１の底面の一側端縁に指掛け用の切欠部１２が設けられている。また、カバー部２をバックル本体１の凹部１１に挿入配置した状態で相対して接合するカバー部２の接合面２２には、磁気ストライプまたはフェライトなどの磁性部品２１を設け、これらに対応する凹部１１の接合面１４（この実施形態では接合面は３箇所ある）には、磁性部品１３を設けてある。これにより、カバー部２はバックル本体１の凹部１１に対して着脱が自在に設けられると共に、相対する磁性部品２１と磁性部品１３との相互吸引力により、カバー部２がバックル本体１から不測に外れないように、バックル本体１にカバー部２が保持される。
【００１１】
カバー部２には、例えば、ラジオ（図７参照）、ライト（図８参照）、タイマー、万歩計（登録商標）、ストップウォッチ、鍵、コンパス（図３参照）、アラーム装置、デジタル時計（図４参照）等、種々の物品を設置する。例えば、カバー部２にデジタル時計を設置した場合、図４に示すように、カバー部２の裏面にデジタル時計を配備する。デジタル時計を設置したカバー部２をバックル本体１の凹部１１内に挿入すると、前述した接合面２２，１４に設けた複数の磁性部品２１，１３による磁力でカバー部２が吸着されて凹部１１に保持される。使用者が時間を見たいときには、凹部１１の一側端縁に設けた指掛け用の切欠部１２に指先を当ててカバー部２をバックル本体１の前方へ持ち上げることで、カバー部２をバックル本体１から取り外すことができ、カバー部２の裏面のデジタル時計の時間を見ることができる。従って、従来のベルトバックルのように、頭を前にかがめてバックルの時間を見るという動作をせずに時計を確認できる。時間を確認後は、デジタル時計をバックル本体１の凹部１１へ戻す。また、図４に示すように、取り出したデジタル時計を台座３上に設置することで、卓上時計とすることもでき、使用しないときは、デジタル時計をバックル本体１の凹部１１内へ挿嵌するだけでよい。
【００１２】
図５及び図６に本考案の別の実施形態（第２実施形態）を示す。第２実施形態の分離式バックルは、バックル本体４及び多機能のカバー部５からなる。バックル本体４には、その前面（使用者がベルトを装着した時に正面となる面）及び一側面（この実施形態では、ベルトが取り付けられる側の側面に対向する側面）に各々開放した矩形状の凹部４１が形成されると共に、該凹部４１の大きさはカバー部５の外周が凹部４１の内周に緊密に挿入配置される大きさとされている。また、凹部４１には、カバー部５をスライドさせることで該凹部４１にカバー部５を着脱させる構造として、凹部４１の両内側面にバックル本体４の湾曲に沿ってスライド用の溝４３，４３が設けられる一方、これらの溝４３，４３に対応するカバー部５の長手方向に沿う両側面には突条５１，５１が設けられている。カバー部５は、バックル本体４の溝４３，４３にカバー部５の突条５１，５１を挿入し、カバー部５をスライドさせることで凹部４１にカバー部５を装着させる。凹部４１には、カバー部５の取り出しが便利なように、凹部４１の底面の一側端縁に指掛け用の切欠部４２が設けられている。
【００１３】
カバー部５にラジオを設置した場合、図７に示すように、ラジオを設置したカバー部５のスライド用の突条５１，５１を、バックル本体４の凹部４１の両内側面に設けた溝４３，４３に挿入し、ラジオを備えたカバー部５を凹部４１に向けてスライドさせて凹部４１内に挿入することで、ラジオを備えたカバー部５がバックル本体４の凹部４１に装着される。カバー部５に設けたラジオのチューナーつまみ５２と、ボリューム調節つまみ５３及びイヤホン穴５４は凹部４１に設けた指掛け用の切欠部４２の側に位置する。また、電池交換の際は、手指を凹部４の一端縁に設けた切欠部４２に当て、カバー部５をバックル本体４の一側方に向けてスライドさせてラジオを備えたカバー部５をバックル本体４から取り出すことで、電池を交換することができる。従って、バックル全体を取り外すことなく電池交換が完了でき、交換後は再びカバー部５を凹部４１内に挿入するだけでよい。
【００１４】
また、カバー部５にライトを設置した場合、図８に示すように、カバー部５のスライド用の突条５１，５１を、バックル本体４の凹部４１の内側面に設けた溝４３，４３に挿入し、ライトを備えたカバー部５を凹部４１に向けてスライドさせて凹部４１内に挿入する。ライトの電球５５は、凹部４１に設けた指掛け用の切欠部４２の側に位置する。使用者がライトを使用するときには、手指を凹部４１の一端縁に設けた切欠部４２に当て、カバー部５をバックル本体４の一側方に向けてスライドさせてライトを備えたカバー部５をバックル本体４から取り出すことで、ライトを備えたカバー部５を外して前方や物品を照らすことができる。従って、バックル全体を取り外すことなくライトを使用することができる。ライト使用後は再びカバー部５を凹部４１内に挿入するだけでよい。
【００１５】
【考案の効果】
請求項１に記載の構成によれば、バックル本体に設けられた凹部にカバー部を挿入すると、カバー部と凹部とが互いに接合されるカバー部及び凹部の接合面の各々に設けられた磁性部品の相互吸引力により、カバー部の外周が凹部の内周に緊密に挿入配置されてカバー部がバックル本体の凹部内に対して着脱可能に保持される。また、凹部の一側端縁に設けた指掛け用の切欠部に指先を当ててカバー部をバックル本体の前方へ持ち上げることで、カバー部をバックル本体から簡単に取り外すことができる。従って、バックル本体にカバー部を極めて容易に装着することができ、しかも、不測に外れないようにカバー部を保持させることができる。また、カバー部を持ち上げることで簡単にバックル本体からカバー部を取り外すことができる。以上のように、使用者の立場に立って考案されたその分離式の構造により、従来の製品に比べ、使用上の利便性及び実用性を向上することができ、無理な姿勢や動作、手間のかかるバックル全体を着脱する必要がない。さらに、構造も単純であり、構成部品が少なくて済む。
【００１６】
請求項２に記載の構成によれば、ラジオ、ライト、タイマー、万歩計（登録商標）、ストップウォッチ、鍵、コンパス、アラーム装置、デジタル時計等の様々な機能をバックルに付加することができる。また、使用上の利便性及び実用性を向上することができ、無理な姿勢や動作、手間のかかるバックル全体を着脱する必要なくして使用及び電池交換等が可能である。
【００１７】
請求項３に記載の構成によれば、カバー部の両側面に設けられた突条を、バックル本体の凹部の両内側面に設けられている溝に挿入し、カバー部を凹部に向けてスライドさせて凹部内に挿入することで、カバー部をバックル本体の凹部に簡単に装着することができ、カバー部の外周が該凹部の内周に緊密に挿入配置されることにより、不測に外れないようにカバー部を保持させることができる。また、手指を凹部の一端縁に設けた切欠部に当て、カバー部をバックル本体の一側方に向けてスライドさせることにより、カバー部をバックル本体の凹部から簡単に取り外すことができる。以上のように、使用者の立場に立って考案されたその分離式の構造により、従来の製品に比べ、使用上の利便性及び実用性を向上することができ、無理な姿勢や動作、手間のかかるバックル全体を着脱する必要がない。さらに、構造も単純であり、構成部品が少なくて済む。
【図面の簡単な説明】
【図１】本考案の一実施形態に係る分離式バックルの組立て状態の斜視図
【図２】図１の分離式バックルの分解斜視図
【図３】同上の実施形態においてカバー部にコンパスを設置した例を示す分離式バックルの分解斜視図
【図４】同上の実施形態においてカバー部にデジタル時計を設置した例を示す分離式バックルの分解斜視図
【図５】本考案の別の実施形態に係る分離式バックルの組立て状態の斜視図
【図６】図５の分離式バックルの分解斜視図
【図７】同上の実施形態においてカバー部にラジオを設置した例を示す分離式バックルの分解斜視図
【図８】同上の実施形態においてカバー部にライトを設置した例を示す分離式バックルの分解斜視図
【符号の説明】
１　バックル本体（第１実施形態）
２　カバー部
１１　凹部
１２　切欠部
１３　磁性部品
１４　接合面
２１　磁性部品
２２　接合面
３　台座
４　バックル本体（第２実施形態）
５　カバー部
４１　凹部
４２　切欠部
４３　溝
５１　突条
５２　チューナーつまみ
５３　ボリューム調節つまみ
５４　イヤホン穴
５５　電球
【図１】
0003097326.tif 000003
【図２】
0003097326.tif 000004
【図３】
0003097326.tif 000005
【図４】
0003097326.tif 000006
【図５】
0003097326.tif 000007
【図６】
0003097326.tif 000008
【図７】
0003097326.tif 000009
【図８】
0003097326.tif 000010